(57)【要約】      （修正有）【課題】フィルムを容易に突き破り、容器内に挿入して連通させることが可能なコネクタを提供する。【解決手段】軸線Ｌ１周りに回動させて容器のポート部に装着される基部３３と、基部３３の一端側に設けられてポート部を密閉するフィルムを突き破って容器内に挿入される第１接続部３１と、基部３３の他端側に設けられて他の器具が接続される第２接続部３２と、を備え、第１接続部３１が容器内に挿入されるとともに第２接続部３２に他の器具が接続されることで、第１接続部３１及び第２接続部３２を通して容器の収容物を流通可能に他の器具との間を連通するコネクタ３０であり、第１接続部３１は筒部３５を備え、筒部３５の先端部３５ａは、頂部３６ａが尖った段差形状の突き刺し部３６を有し、突き刺し部３６を突き刺して基部３３とともに回動させることで、フィルムが切断されて開口が形成されるとともに開口に筒部３５が挿入されるコネクタとする。【選択図】図２
2020089534.tif 000002
【特許請求の範囲】
【請求項１】
軸線周りに回動させて容器のポート部に装着される基部と、前記基部の一端側に設けられて前記ポート部を密閉するフィルムを突き破って前記容器内に挿入される第１接続部と、前記基部の他端側に設けられて他の器具が接続される第２接続部と、を備え、前記第１接続部が前記容器内に挿入されるとともに前記第２接続部に前記他の器具が接続されることで、前記第１接続部及び前記第２接続部を通して前記容器又は前記他の器具の収容物を流通可能に前記容器と前記他の器具との間を連通するコネクタであって、
前記第１接続部は筒部を備え、
前記筒部の先端部には、頂部が尖った段差形状の突き刺し部を有し、
前記突き刺し部を突き刺して前記基部とともに回動させることで、前記フィルムが切断されて開口が形成されるとともに前記開口に前記筒部が挿入されるように構成されていることを特徴とするコネクタ。
【請求項２】
前記突き刺し部の縦壁には、前記突き刺し部の頂部から回動方向に向けて前記基部側へ傾斜した周方向傾斜縁と、前記突き刺し部の先端側の外周縁から径方向内側に向けて前記基部側へ傾斜した内周傾斜面と、が設けられていることを特徴とする請求項１に記載のコネクタ。
【請求項３】
前記突き刺し部の段差形状の縦壁には、前記筒部の外周縁の接線に対して鋭角に形成された周方向傾斜縦面が設けられていることを特徴とする請求項１又は２に記載のコネクタ。
【請求項４】
前記突き刺し部と径方向に対向する位置には、前記突き刺し部を回転させて形成された切断片を前記筒部の外側へ押し出す押出部を有し、
前記押出部の先端側に径方向外側に向けて前記基部側へ傾斜した外周傾斜面が設けられていることを特徴とする請求項１乃至３の何れか一つに記載のコネクタ。
【請求項５】
前記第１接続部は半固形化栄養剤が収容された前記容器に挿入可能であるとともに、前記第２接続部はカテーテルチップシリンジが接続可能であることを特徴とする請求項１乃至４の何れかに記載のコネクタ。
【発明の詳細な説明】
【技術分野】
【０００１】
本発明は、フィルムにより密閉された各種容器のポート部に、シリンジ等の各種の器具を連結するためのコネクタに関する。
【背景技術】
【０００２】
従来、各種の容器に設けられてフィルムにより密閉されたポート部に、例えばシリンジやカテーテル等の各種の器具を連結するためのコネクタが知られている。
例えば下記特許文献１では、フィルムにより密閉された開口を有する飲料パックに、接着部材を開口に対応させて接着し、接着部材に着脱自在にポート部としての固定手段を固定し、固定手段にアダプタ本体部材を係止するように構成されていた。このアダプタ本体部材には、開口のフィルムに突き刺して貫通するように一方の端部に先鋭端部が設けられていた。
【０００３】
また下記特許文献２のコネクタでは、パウチのポート部に接続される接続部に、ポート部と螺合する雌ねじとポート部に挿入される連通部とが設けられ、連通部にはポート部を密閉するフィルムを突き破って挿入できるように鋭利端が設けられていた。
【先行技術文献】
【特許文献】
【０００４】
【特許文献１】特許第３９５４３７２号公報
【特許文献２】特開２０１６−５２３４５号公報
【発明の概要】
【発明が解決しようとする課題】
【０００５】
しかしながら従来のコネクタでは、容器内に挿入される先端部が筒部の先端を斜めに傾斜させた形状を有し、この先端部を軸方向に押圧することで、ポート部を密閉するフィルムを突き破るように構成されていた。
【０００６】
ポート部を密閉するフィルムは樹脂層とアルミニウム層等が積層された構造のため、このようなコネクタの先端では、軸線方向に押圧する際、突き破れずにフィルムを引き伸ばすことがあった。そのためコネクタがフィルムを貫通できなかったり、不完全に貫通されて流通抵抗が大きくなったりすることがあった。
【０００７】
特に、可撓性容器に収容された半固形化栄養剤等の流動性の低い収容物をシリンジに採取して使用するような場合には、流動性が低い分、カテーテルチップシリンジのように吐出側先端部の径が太いものが使用される。その場合、コネクタもシリンジの径に応じて大径のものが使用されるため、先端を軸方向に押圧してもフィルムを突き破れずに引き伸ばすような現象が発生し易くなる。
そのため可撓性容器内の収容物を一旦他の容器に取り出し、これをシリンジに吸引してから使用しなければならず、異物の混入等の衛生上の問題が生じたり、作業効率上の問題が生じたりするおそれも存在していた。
【０００８】
本発明では、かかる問題点を解決するために、ポート部を密閉するフィルムを突き破る接続部の太さにかかわらず、フィルムを容易且つ確実に突き破ることができ、容器内に確実に挿入して他の器具に連通させることが可能なコネクタを提供することを目的とする。
【課題を解決するための手段】
【０００９】
上記課題を解決する本発明のコネクタは、軸線周りに回動させて容器のポート部に装着される基部と、前記基部の一端側に設けられて前記ポート部を密閉するフィルムを突き破って前記容器内に挿入される第１接続部と、前記基部の他端側に設けられて他の器具が接続される第２接続部と、を備え、前記第１接続部が前記容器内に挿入されるとともに前記第２接続部に前記他の器具が接続されることで、前記第１接続部及び前記第２接続部を通して前記容器又は前記他の器具の収容物を流通可能に前記容器と前記他の器具との間を連通するコネクタであって、前記第１接続部は筒部を備え、前記筒部の先端部には、頂部が尖った段差形状の突き刺し部を有し、前記突き刺し部を突き刺して前記基部とともに回動させることで、前記フィルムが切断されて開口が形成されるとともに前記開口に前記筒部が挿入されるように構成されていることを特徴とする。
【００１０】
このコネクタでは、前記突き刺し部の縦壁には、前記突き刺し部の頂部から回動方向に向けて前記基部側へ傾斜した周方向傾斜縁と、前記突き刺し部の先端側の外周縁から径方向内側に向けて前記基部側へ傾斜した内周傾斜面と、が設けられていてもよい。
【００１１】
また、前記突き刺し部の段差形状の縦壁には、前記筒部の外周縁の接線に対して鋭角に形成された周方向傾斜縦面が設けられていてもよい。
【００１２】
さらに前記突き刺し部と径方向に対向する位置には、前記突き刺し部を回転させて形成された切断片を前記筒部の外側へ押し出す押出部を有し、前記押出部の先端側に径方向外側に向けて前記基部側へ傾斜した外周傾斜面が設けられているのが好適である。
【００１３】
また前記第１接続部は半固形化栄養剤が収容された前記容器に挿入可能であるとともに、前記第２接続部はカテーテルチップシリンジが接続可能であってもよい。
【発明の効果】
【００１４】
本発明のコネクタによれば、軸線周りに回動させて容器のポート部に装着される基部と、ポート部を密閉するフィルムを突き破って容器内に挿入される第１接続部と、を備え、第１接続部の筒部の先端部に頂部が尖った段差形状の突き刺し部が設けられている。
そのため突き刺し部をフィルムに突き刺した後、基部を回動させれば、基部の回動とともにフィルムを切断して開口が形成できるとともに開口に筒部を挿入できる。
【００１５】
その際、突き刺し部が段差形状に設けられていて頂部が尖っているため、第１接続部の筒部を軸線方向に押し込むことで、ポート部を密閉するフィルムに確実に突き刺すことができる。そして突き刺し部を突き刺した状態で回動することでフィルムを切断して開口を形成するため、筒部に対応した開口を確実に形成できるとともに、第１接続部の筒部をフィルムに貫通させて確実に容器内に挿入することが可能である。
その結果、第１接続部の太さにかかわらず、ポート部のフィルムを容易且つ確実に突き破ることができ、第１接続部を容器内に確実に挿入して連通させることが可能なコネクタを提供することができる。
【００１６】
本発明のコネクタでは、突き刺し部の縦壁に、突き刺し部の頂部から回動方向に向けて基部側へ傾斜した周方向傾斜縁が設けられていると、段差形状の突き刺し部の頂部を軸線方向に最も突出させることができる。しかも突き刺し部の縦壁に、突き刺し部の先端側の外周縁から径方向内側に向けて基部側へ傾斜した内周傾斜面が設けられていると、突き刺し部の頂部を径方向の外側に鋭利に形成できる。
【００１７】
そのため周方向傾斜縁と内周傾斜面とが相俟って、筒部の先端部に設けられた段差形状の突き刺し部の頂部を、ポート部のより内周縁に近い位置に一部だけを鋭利に尖らせて配置できる。これによりフィルムのポート部との接合部位により近接した位置を、鋭利に一部を尖らせた突き刺し部により突き刺すことができ、フィルムの伸び等により突き刺し不良が生じることを防止できる。
【００１８】
本発明のコネクタでは、突き刺し部の段差形状の縦壁に、筒部の外周縁の接線に対して鋭角に形成された周方向傾斜縦面が設けられていると、突き刺し部を突き刺した状態で、第１接続部の筒部を基部とともに回動させれば、鋭角に形成された周方向傾斜縦面により確実にフィルムを切断することができ、しかも周方向傾斜縦面の回動時の軌跡によりフィルムに開口を形成すると、確実に筒部の外周形状に対応した開口を形成でき、確実に第１接続部の筒部をフィルムに貫通して挿入配置することが可能である。
【００１９】
本発明のコネクタでは、突き刺し部と径方向に対向する位置には、突き刺し部を回転させて形成された切断片を筒部の外側へ押し出す押出部を有していると、突き刺し部の回転により形成された切断片を筒部の外側へ押し出すことができる。
しかも押出部の先端側に径方向外側に向けて基部側へ傾斜した外周傾斜面が設けられていると、突き刺し部の回転により形成された切断片が、筒部の内側側に傾倒したとしても、外周傾斜面により円滑に起き上がらせて、押出部により径方向外側へ押し出すことができる。
その結果、第１接続部の流路が切断片により塞がれるようなことを確実に防止することができ、第１接続部と第２接続部との間における収容物の流通性を確保することができる。
【００２０】
本発明のコネクタでは、上述のように第２接続部の筒部に対応した開口を、太さにかかわらず容易且つ確実に設けることができるので、第１接続部を半固形化栄養剤が収容された容器に挿入するとともに第２接続部をカテーテルチップシリンジに接続し、半固形化栄養剤を容器から直接カテーテルチップシリンジに吸引することができる。そのため半固形化栄養剤を、一旦、他の容器に移すことなくカテーテルチップシリンジに収容して使用することができる。これにより容器からカテーテルチップシリンジに半固形化栄養剤を収容する際に異物が混入するようなことを確実に防止できて衛生的に収容作業を行うことができ、また作業効率を向上することができる。
【図面の簡単な説明】
【００２１】
【図１】本発明の実施形態に係るコネクタを用いて可撓性容器とシリンジとを連結した状態を示す正面図である。
【図２】本発明の実施形態に係るコネクタの断面図である。
【図３】本発明の実施形態に係るコネクタの平面図である。
【図４】本発明の実施形態に係るコネクタの正面図である。
【図５】本発明の実施形態に係るコネクタの背面図である。
【図６】本発明の実施形態に係るコネクタの左側面図である。
【図７】本発明の実施形態に係るコネクタの右側面図である。
【図８】本発明の実施形態に係るコネクタを用いて可撓性容器とシリンジとを連結する方法を説明する分解図である。
【図９】本発明の実施形態に係るコネクタを容器のポート部に挿入する手順を説明する図であって、突き刺し部を押圧してフィルムに突き刺した状態を示しており、（ａ）はコネクタ及びポート部の部分断面図、（ｂ）はポート部のフィルムを収容部側から見た部分平面図である。
【図１０】本発明の実施形態に係るコネクタを容器のポート部に挿入する手順を説明する図であって、突き刺し部を回動してフィルムを切断している状態を示しており、（ａ）はコネクタ及びポート部の部分断面図、（ｂ）はポート部のフィルムを収容部側から見た部分平面図である。
【図１１】本発明の実施形態に係るコネクタを容器のポート部に挿入する手順を説明する図であって、押出部を回動してフィルムの切断片を外側へ押し出している状態を示しており、（ａ）はコネクタ及びポート部の部分断面図、（ｂ）はポート部のフィルムを収容部側から見た部分平面図である。
【図１２】本発明の実施形態に係るコネクタを容器のポート部に挿入する手順を説明する図であって、基部を完全に回動させて第１接続部を容器に所定位置まで挿入した状態を示しており、（ａ）はコネクタ及びポート部の部分断面図、（ｂ）はポート部のフィルムを収容部側から見た部分平面図である。
【発明を実施するための形態】
【００２２】
以下、本発明の実施形態について図を用いて詳細に説明する。
コネクタは容器と各種の器具とを連結するもので、本実施形態では、図１に示すように、可撓性を有する容器１０とシリンジ２０とがコネクタ３０を介して連結されている。
容器１０は対向配置された樹脂シートが周囲で密封されることで内部に収容部１１が形成されている。収容部１１には、流動性を有する収容物が収容されている。収容物は流動性を有するものであればよく、低粘度の液体であっても、高粘度の粘性液体やゲル等であってもよい。本実施形態では半固形化栄養剤が収容されている。
【００２３】
容器１０の一方側の端部にはポート部１２が設けられている。ポート部１２は樹脂成形体からなり、容器１０に液密に固定された駒部１３と、駒部１３から容器１０の外部に突出して配置されてコネクタ３０が装着可能な装着部１４と、が一体に設けられている。ポート部１２には、収容部１１内と容器１０の外部とを連通する貫通孔１５が駒部１３と装着部１４とに開口して設けられている。
【００２４】
ポート部１２の駒部１３は、容器壁を構成する樹脂シート間に溶着等により接合される接合部１３ａと、収容部１１内に接して配置される内表面部１３ｂと、を有している。内表面部１３ｂは、ポート部１２を下にして容器１０を立てた状態で配置した場合に、収容部１１の底面の少なくとも一部となるように配置されている。
内表面部１３ｂには、貫通孔１５が開口しており、容器１０を立てた状態で収容物が貫通孔１５に案内されるように、略Ｖ字状に貫通孔１５に向けて凹ませた案内凹部１３ｃが設けられている。
【００２５】
駒部１３は、連続したアルミニウム層を有するフィルム１６により被覆されている。本実施形態では接合部１３ａと内表面部１３ｂとの全面にフィルム１６が被覆されている。
内表面部１３ｂでは、容器１０の内壁面を構成する樹脂シートに連続するように接合されるとともに、フィルム１６により貫通孔１５が密閉されており、貫通孔１５の端部周囲における内表面部１３ｂに環状に連続して液密に溶着されている。
【００２６】
ポート部１２の装着部１４は容器１０から外部に突出して配置されている。この装着部１４は、コネクタ３０を軸線Ｌ１周りに回動させて装着できるように構成されている。本実施形態では、側周囲に軸線Ｌ１方向に雄ネジ部１４ａが設けられている。
【００２７】
一方、シリンジ２０としては、カテーテルチップシリンジが用いられている。シリンジ２０の吐出側先端部２１はカテーテルと接合可能に太く形成されており、内部の流路は半固形化栄養剤が容易に流通可能な程度の直径を有している。吐出側先端部２１はカテーテルと気密に嵌合可能な構造を有しており、先細りのテーパを有する筒形状に形成されている。
【００２８】
これらの容器１０とシリンジ２０とを連結するコネクタ３０は、図２乃至図７に示すように、容器１０のポート部１２に装着される基部３３と、基部３３の一端側に設けられて容器１０内に挿入される第１接続部３１と、基部３３の他端側に設けられてシリンジ２０の吐出側先端部２１が接続される第２接続部３２と、を一体に備えた樹脂成形体からなる。
第１接続部３１、基部３３、第２接続部３２は軸線Ｌ１を中心に配列して一体に設けられており、軸線Ｌ１方向に貫通した連通路３４が設けられている。
【００２９】
基部３３は、軸線Ｌ１周りに回動させることでポート部１２に装着されるように構成されており、一方側が開口した略円筒形状を有している。内周面には軸線Ｌ１を中心に雌ネジ部３３ａが設けられている。この雌ネジ部３３ａはポート部１２の装着部１４の側周囲に設けられた雄ネジ部１４ａに螺合して装着可能となっている。
また基部３３の外周面には互いに１８０度離間した位置に一対の突起部３３ｂが設けられている。この突起部３３ｂの容器１０に対する向きを視認することで、回動角度を認識できるようになっており、後述する第１接続部３１の先端部の向きが把握可能となっている。
【００３０】
基部３３は、ポート部１２に装着する際に回動量が１回転未満となるように回動量規制手段が設けられている。例えば基部３３の開口端部や突起部３３ｂがポート部１２に設けられたストッパに当接することで回動量を規制してもよい。
第２接続部３２は、本実施形態では基部３３の他端に開口した連通路３４内に設けられている。連通路３４の他端側の内周面がシリンジ２０の吐出側先端部２１に対応したテーパ形状を有していて、吐出側先端部２１が気密に嵌合可能となっている。
【００３１】
第１接続部３１は、基部３３の開口端部から一方側に突出して設けられている。第１接続部３１は軸線Ｌ１方向に延びる筒部３５を備えており、筒部３５の先端側がポート部１２の貫通孔１５を密閉するフィルム１６を突き破って容器１０内に挿入可能に構成されている。
まず第１接続部３１の筒部３５には外周面の直径が略一定の先端部３５ａが設けられている。この先端部３５ａには、頂部３６ａが尖った段差形状の突き刺し部３６が設けられている。本実施形態では、突き刺し部３６の頂部３６ａは基部３３の突起部３３ｂに対して所定角度となる位置に設けられており、ここでは各突起部３３ｂに対して略０度乃至９０度の位置に設けられている。段差形状とは、先端部３５ａの開口端部の各位置と基部３３との間の軸線Ｌ１方向の距離が、一方の周方向に沿って急激に不連続に増加する形状である。
【００３２】
一方、突き刺し部３６の頂部３６ａとは径方向略１８０度となる反対側の位置には、筒部３５の先端部３５ａに軸線Ｌ１方向に沿ってスリット３７が設けられている。スリット３７は、案内凹部１３ｃの収容物を排出するもので、コネクタ３０を容器１０のポート部１２に装着した状態で、案内凹部１３ｃの最も凹んだ位置に配置されるように設けられている。
【００３３】
段差形状の突き刺し部３６の縦壁３６ｂには、突き刺し部３６の頂部３６ａから回転方向に向けて基部３３側へ傾斜した周方向傾斜縁３６ｃが、頂部３６ａからスリット３７までの間に設けられている。回動方向はコネクタ３０を容器１０のポート部１２に装着する際に回動させる方向である。
周方向傾斜縁３６ｃでは、端部の各位置と基部３３との間の軸線Ｌ１方向の距離が、周方向に沿って徐々に減少するように形成されている。この周方向傾斜縁３６ｃにより、突き刺し部３６の縦壁３６ｂは頂部３６ａの１点が最も突出した形状となっている。
【００３４】
また突き刺し部３６の縦壁３６ｂには、突き刺し部３６の先端側の外周縁から径方向内側に向けて基部３３側へ傾斜した内周傾斜面３６ｄが、頂部３６ａからスリット３７までの間に設けられている。内周傾斜面３６ｄは強度が確保できる範囲で軸線Ｌ１に対する角度が小さい程好適であり、例えば内周傾斜面３６ｄの軸線Ｌ１に対する角度を９０度未満のように設定してもよい。
なお突き刺し部３６の縦壁３６ｂにおける内周傾斜面３６ｄに対応する外周縁には、適宜な角度で面取りが施されているが詳細な記載は省略している
【００３５】
さらに突き刺し部３６の段差形状の縦壁３６ｂには、頂部３６ａの位置に、筒部３５の外周縁の接線Ｌ２に対して鋭角に形成された周方向傾斜縦面３６ｅが設けられている。周方向傾斜縦面３６ｅは強度が確保できる範囲で接線Ｌ２に対する角度が小さい程好適であり、例えば内周方向傾斜縦面３６ｅの接線Ｌ２に対する角度を９０度未満のように設定してもよい。
【００３６】
一方、筒部３５の先端部３５ａにおける突き刺し部３６と径方向に対向する位置には、突き刺し部３６を回転させて形成された切断片１６ａを筒部３５の外側へ押し出す押出部３８が設けられている。押出部３８では、端部の各位置と基部３３との間の軸線Ｌ１方向の距離が周方向で一定に設けられている。
また押出部３８の軸線Ｌ１方向の先端側には、径方向外側に向けて基部３３側へ傾斜した外周傾斜面３８ａが設けられている。この外周傾斜面３８ａは軸線Ｌ１に対する角度を９０度未満のように設定してもよい。
この外周傾斜面３８ａは、筒部３５の厚み全体に設けてもよいが、本実施形態では、外周縁からの径方向の幅や軸線Ｌ１方向の幅が、回転方向に沿って漸減するように設けられている。
【００３７】
このような第１接続部３１の筒部３５では、突き刺し部３６の段差形状の縦壁３６ｂを含む側周面が、フィルム１６が突き刺し部３６により切断されたり押出部３８により押し出されたりして形成される切断片１６ａを内周側から当接して支える切断片支持部となっている。
【００３８】
次に、このようなコネクタ３０を用いて、容器１０とシリンジ２０とを連結する方法について説明する。
図８に示すように、それぞれ別体の容器１０とコネクタ３０とシリンジ２０とを連結するために、本実施形態では、容器１０のポート部１２にコネクタ３０を連結し、その後、コネクタ３０にシリンジ２０を連結する。
【００３９】
まず容器１０のポート部１２にコネクタ３０を連結するには、図８に示すように、ポート部１２の装着部１４にコネクタの第１接続部３１を対向させる。
コネクタ３０を軸線Ｌ１方向に移動させることで、ポート部１２の装着部１４に開口している貫通孔１５にコネクタ３０の第１接続部３１を挿入し、第１接続部３１の筒部３５を軸線Ｌ１方向に押し込む。これにより図９（ａ）（ｂ）に示すように、突き刺し部３６の頂部３６ａをフィルム１６突き刺して貫通させる。
【００４０】
この状態で、コネクタ３０の基部３３に設けられた雌ネジ部３３ａを、ポート部１２の装着部１４の雄ネジ部１４ａに螺合させ、基部３３を回動させる。
すると、図１０（ａ）（ｂ）に示すように、コネクタ３０の筒部３５の突き刺し部３６が基部３３とともに回動し、軸線Ｌ１方向に沿って挿入方向に移動しつつ、周方向に移動する。これにより突き刺し部３６の頂部３６ａによりフィルム１６が弧状に切断されて、フィルム１６に開口が形成され、突き刺し部３６がより収容部１１内に挿入される。
【００４１】
さらにコネクタ３０を略１８０度を超えて回動させる。すると図１１（ａ）（ｂ）に示すように、突き刺し部３６の頂部３６ａによりフィルム１６を半円を超えて弧状に切断しつつ、頂部３６ａとは径方向反対側の位置には押出部３８がフィルム１６の切断された部位に挿入され、押出部３８によりフィルム１６の切断縁を押し広げる。
また筒部３５のフィルム１６を貫通した部位における側周面により、切断して形成された切断片１６ａを押出した状態で支持する。
【００４２】
その後、基部３３の開口端部や突起部３３ｂがポート部１２に当接して、それ以上回動しない状態まで回動させると、図１２（ａ）（ｂ）に示すように、筒部３５の突き刺し部３６及び押出部３８が３６０度を超えない範囲で最大限回動した状態となる。
これによりコネクタ３０の第１接続部３１の筒部３５が、フィルム１６を切断して形成された開口を通して容器１０の収容部１１内に挿入されて所定位置に配置される。このとき切断して形成された切断片１６ａが筒部３５の側周面に支持された状態で配置され、コネクタ３０の連通路３４の開口が完全に開放された状態で容器１０の収容部１１内に配置される。またスリット３７が案内凹部１３ｃの最も凹んだ位置に配置される。
さらに基部３３がポート部１２の装着部１４に圧接されることで、安定に配置される。
【００４３】
これにより容器１０とコネクタ３０とを連結することができる。
この状態で、シリンジ２０の吐出側先端部２１を第２接続部３２の連通路３４内に挿入して嵌合することで、コネクタ３０とシリンジ２０とを連結することができる。
【００４４】
従って、コネクタ３０では、第１接続部３１が容器１０の収容部１１内に挿入されるとともに、第２接続部３２にシリンジ２０が接続され、コネクタ３０を介して容器１０とシリンジ２０とが連結される。これにより第１接続部３１及び第２接続部３２を通して、収容物である半固形化栄養剤を流通可能に容器１０とシリンジ２０との間が連通可能となる。
これにより容器１０の収容物である半固形化栄養剤をシリンジ２０に直接吸引して採取し、使用することができる。
【００４５】
以上のようなコネクタ３０によれば、軸線Ｌ１周りに回動させて容器１０のポート部１２に装着される基部３３と、ポート部１２を密閉するフィルム１６を突き破って容器１０内に挿入される第１接続部３１と、を備え、第１接続部３１の筒部３５の先端部３５ａに頂部３６ａが尖った段差形状の突き刺し部３６が設けられている。そのため突き刺し部３６をフィルム１６に突き刺して基部３３を回動させれば、基部３３とともに突き刺し部３６を回動させてフィルム１６を切断して開口を形成できるとともに開口に筒部３５を挿入できる。
【００４６】
その際、突き刺し部３６が段差形状に設けられていて頂部３６ａが尖っているため、第１接続部３１の筒部３５を軸線Ｌ１方向に押し込むことで、ポート部１２を密閉するフィルム１６に確実に突き刺すことができる。そして突き刺し部３６を突き刺した状態で回動することでフィルム１６を切断して開口を形成するため、筒部３５に対応した開口を確実に形成できるとともに、第１接続部３１の筒部３５をフィルム１６に貫通させて確実に容器１０内に挿入することが可能である。
その結果、第１接続部の太さにかかわらず、ポート部１２のフィルム１６を容易且つ確実に突き破ることができ、第１接続部を容器１０内に確実に挿入して連通させることができる。
【００４７】
この実施形態のコネクタ３０では、突き刺し部３６の縦壁３６ｂに、突き刺し部３６の頂部３６ａから回転方向に向けて基部３３側へ傾斜した周方向傾斜縁３６ｃが設けられているので、段差形状の突き刺し部３６の頂部３６ａを軸線Ｌ１方向に最も突出させることができる。しかも突き刺し部３６の縦壁３６ｂに、突き刺し部３６の先端側の外周縁から径方向内側に向けて基部３３側へ傾斜した内周傾斜面３６ｄが設けられているので、突き刺し部３６の頂部３６ａを径方向の外側に鋭利に形成できる。
【００４８】
そのため周方向傾斜縁３６ｃと内周傾斜面３６ｄとが相俟って、筒部３５の先端部３５ａに設けられた段差形状の突き刺し部３６の頂部３６ａを、ポート部１２のより内周縁に近い位置に一部だけを鋭利に尖らせて配置できる。これによりフィルム１６のポート部１２との接合部位により近接した位置を、鋭利に一部を尖らせた突き刺し部３６により突き刺すことができ、フィルム１６の伸び等により突き刺し不良が生じることを防止できる。
【００４９】
この実施形態のコネクタ３０では、突き刺し部３６の段差形状の縦壁３６ｂに、筒部３５の外周縁の接線Ｌ２に対して鋭角に形成された周方向傾斜縦面３６ｅが設けられているので、突き刺し部３６を突き刺した状態で、第１接続部３１の筒部３５を基部３３とともに回動させれば、鋭角に形成された周方向傾斜縦面３６ｅにより確実にフィルム１６を切断することができ、しかも周方向傾斜縦面３６ｅの回動時の軌跡によりフィルム１６に開口を形成するため、確実に筒部３５の外周形状に対応した開口を形成でき、確実に第１接続部３１の筒部３５をフィルム１６に貫通して挿入配置することが可能である。
【００５０】
この実施形態のコネクタ３０では、突き刺し部３６と径方向に対向する位置には、突き刺し部３６を回転させて形成された切断片１６ａを筒部３５の外側へ押し出す押出部３８を有しているので、突き刺し部３６の回転により形成された切断片１６ａを筒部３５の外側へ押し出すことができる。
【００５１】
しかも押出部３８の先端側に径方向外側に向けて基部３３側へ傾斜した外周傾斜面３８ａが設けられているので、突き刺し部３６の回転により形成された切断片１６ａが、筒部３５の内側側に傾倒したとしても、外周傾斜面３８ａにより円滑に起き上がらせて、押出部３８により径方向外側へ押し出すことができる。
その結果、第１接続部３１の流路が切断片１６ａにより塞がれるようなことを確実に防止することができ、第１接続部３１と第２接続部３２との間における収容物の流通性を確保することができる。
【００５２】
この実施形態のコネクタ３０では、このように第２接続部３２の筒部３５に対応した開口を太さにかかわらず容易且つ確実に設けることができる結果、第１接続部３１を半固形化栄養剤が収容された容器１０に挿入するとともに第２接続部３２をカテーテルチップシリンジ２０に接続して、半固形化栄養剤を容器１０から直接カテーテルチップシリンジ２０に吸引することができる。そのため半固形化栄養剤を、一旦、他の容器に移すことなく直接カテーテルチップシリンジに収容して使用することができ、容器１０からカテーテルチップシリンジ２０に半固形化栄養剤を収容する収容作業の際、異物が混入するようなことを確実に防止でき、衛生的に収容作業を行うことが可能である。また収容作業の作業効率を向上することができる。
【００５３】
この実施形態のコネクタ３０では、容器１０のポート部１２に対するコネクタ１０の回動量を、３６０度を超えない範囲に規制しているので、突き刺し部３６を回動させることでフィルム１６を切断していても、生じた切断片１６ａが離脱するおそれがなく、安全に使用することができる。
【００５４】
なお、上記実施形態は、本発明の範囲内において適宜変更可能である。
例えば上記実施形態では、第１接続部３１を挿入する容器１０として、可撓性容器１０について説明したが、例えば硬質容器等、他の容器であっても本発明は適用可能であり、ポート部１２がフィルム１６により密閉されている容器であれば何ら限定されない。
また上記実施形態では、容器１０の収容物として半固形化栄養剤のように粘性の高い収容物を収容する例について説明したが、流動性を有する収容物であれば特に限定されない。例えば粘性が低い液体であっても、本発明は同様に適用可能である。
さらに上記実施形態では、第２接続部３２に接続される器具として、シリンジについて説明したが、例えばチューブ、吐出口、弁等の器具であってもよく、第２接続部３２との接続方法も嵌合に限らず、螺合等、各種の接続方法を採用できる。
また上記では、基部３３に雌ネジ部３３ａを設けて容器１０のポート部１２の雄ネジ部１４ａに螺合することで装着したが、基部３３と容器１０のポート部１２との装着方法は、基部３３を回動させることで装着できれば、特に限定されない。
【符号の説明】
【００５５】
１０  容器
１１  収容部
１２  ポート部
１３  駒部
１３ａ  接合部
１３ｂ  内表面部
１３ｃ  案内凹部
１４  装着部
１４ａ  雄ネジ部
１５  貫通孔
１６  フィルム
１６ａ  切断片
２０  シリンジ
２１  吐出側先端部
３０  コネクタ
３１  第１接続部
３２  第２接続部
３３  基部
３３ａ  雌ネジ部
３３ｂ  突起部
３４  連通路
３５  筒部
３５ａ  先端部
３６  突き刺し部
３６ａ  頂部
３６ｂ  縦壁
３６ｃ  周方向傾斜縁
３６ｄ  内周傾斜面
３６ｅ  周方向傾斜縦面
３７  スリット
３８  押出部
３８ａ  外周傾斜面
Ｌ１  軸線
Ｌ２  接線
【図１】
2020089534.tif 000003
【図２】
2020089534.tif 000004
【図３】
2020089534.tif 000005
【図４】
2020089534.tif 000006
【図５】
2020089534.tif 000007
【図６】
2020089534.tif 000008
【図７】
2020089534.tif 000009
【図８】
2020089534.tif 000010
【図９】
2020089534.tif 000011
【図１０】
2020089534.tif 000012
【図１１】
2020089534.tif 000013
【図１２】
2020089534.tif 000014
【手続補正書】
【提出日】平成31年2月4日(2019.2.4)
【手続補正１】
【補正対象書類名】特許請求の範囲
【補正対象項目名】請求項３
【補正方法】変更
【補正の内容】
【請求項３】
前記突き刺し部の縦壁には、前記突き刺し部の先端側の外周縁の接線に対して鋭角に形成された周方向傾斜縦面が設けられていることを特徴とする請求項１又は２に記載のコネクタ。
【手続補正２】
【補正対象書類名】明細書
【補正対象項目名】００１１
【補正方法】変更
【補正の内容】
【００１１】
また、前記突き刺し部の縦壁には、前記突き刺し部の先端側の外周縁の接線に対して鋭角に形成された周方向傾斜縦面が設けられていてもよい。
【手続補正３】
【補正対象書類名】明細書
【補正対象項目名】００１８
【補正方法】変更
【補正の内容】
【００１８】
本発明のコネクタでは、突き刺し部の縦壁に、突き刺し部の先端側の外周縁の接線に対して鋭角に形成された周方向傾斜縦面が設けられていると、突き刺し部を突き刺した状態で、第１接続部の筒部を基部とともに回動させれば、鋭角に形成された周方向傾斜縦面により確実にフィルムを切断することができ、しかも周方向傾斜縦面の回動時の軌跡によりフィルムに開口を形成すると、確実に筒部の外周形状に対応した開口を形成でき、確実に第１接続部の筒部をフィルムに貫通して挿入配置することが可能である。
【手続補正４】
【補正対象書類名】明細書
【補正対象項目名】００３５
【補正方法】変更
【補正の内容】
【００３５】
さらに突き刺し部３６の縦壁３６ｂには、頂部３６ａの位置に、突き刺し部３６の先端側の外周縁の接線Ｌ２に対して鋭角に形成された周方向傾斜縦面３６ｅが設けられている。周方向傾斜縦面３６ｅは強度が確保できる範囲で接線Ｌ２に対する角度が小さい程好適であり、例えば内周方向傾斜縦面３６ｅの接線Ｌ２に対する角度を９０度未満のように設定してもよい。
【手続補正５】
【補正対象書類名】明細書
【補正対象項目名】００３７
【補正方法】変更
【補正の内容】
【００３７】
このような第１接続部３１の筒部３５では、突き刺し部３６の縦壁３６ｂを含む側周面が、フィルム１６が突き刺し部３６により切断されたり押出部３８により押し出されたりして形成される切断片１６ａを内周側から当接して支える切断片支持部となっている。
【手続補正６】
【補正対象書類名】明細書
【補正対象項目名】００３９
【補正方法】変更
【補正の内容】
【００３９】
まず容器１０のポート部１２にコネクタ３０を連結するには、図８に示すように、ポート部１２の装着部１４にコネクタ３０の第１接続部３１を対向させる。
コネクタ３０を軸線Ｌ１方向に移動させることで、ポート部１２の装着部１４に開口している貫通孔１５にコネクタ３０の第１接続部３１を挿入し、第１接続部３１の筒部３５を軸線Ｌ１方向に押し込む。これにより図９（ａ）（ｂ）に示すように、突き刺し部３６の頂部３６ａをフィルム１６に突き刺して貫通させる。
【手続補正７】
【補正対象書類名】明細書
【補正対象項目名】００４９
【補正方法】変更
【補正の内容】
【００４９】
この実施形態のコネクタ３０では、突き刺し部３６の縦壁３６ｂに、突き刺し部３６の先端側の外周縁の接線Ｌ２に対して鋭角に形成された周方向傾斜縦面３６ｅが設けられているので、突き刺し部３６を突き刺した状態で、第１接続部３１の筒部３５を基部３３とともに回動させれば、鋭角に形成された周方向傾斜縦面３６ｅにより確実にフィルム１６を切断することができ、しかも周方向傾斜縦面３６ｅの回動時の軌跡によりフィルム１６に開口を形成するため、確実に筒部３５の外周形状に対応した開口を形成でき、確実に第１接続部３１の筒部３５をフィルム１６に貫通して挿入配置することが可能である。